(57)【要約】【課題】皮膚がめくれず、垢すりを効果的に行うことのできる垢すり具を提供する。【解決手段】外面が垢すりタオルで覆われた、空気の注入によって膨らむ弾性材質からなる空気注入体と、空気注入体の内側に位置する円板状の支持体と、支持体の上面中央に形成される結合突起と、結合突起に内蔵され、往復運動によって空気注入体に空気を流入させるピストンＡと、支持体の結合突起に螺合されるつまみによって支持体に付勢され、空気注入体の気密を保持する蓋体とからなる、垢すり具による。【選択図】図１
2006271952.tif 000002
【特許請求の範囲】
【請求項１】
外面が垢すりタオル（４０）で覆われた、空気の注入によって膨らむ弾性材質からなる空気注入体（２）と、
前記空気注入体（２）の内側に位置する円板状の支持体（４）と、
前記支持体（４）の上面中央に形成される結合突起（６）と、
前記結合突起（６）に内蔵され、往復動によって前記空気注入体（２）に空気を流入させるピストン（Ａ）と、
前記支持体（４）の結合突起（６）に螺合されるつまみ（１８）によって支持体（４）に付勢され、空気注入体（２）の気密を保持する蓋体（１２）と
からなることを特徴とする空気注入式垢すり具。
【請求項２】
前記支持体（４）の中心に形成された結合突起（６）が、ピストン（Ａ）を往復動させるための中空のシリンダ形状であり、
前記支持体（４）の下面中央に、階段状に窪まれた凹部（８）が形成され、
前記凹部（８）に、凸状を呈するキャップ（１０）が嵌合されて、ねじ止めされ、
前記キャップ（１０）が、その内側にバネ（２０）、ボール（２２）及びパッキン（２４）を内蔵し、
前記ボール（２２）が、バネ（２０）の弾力によってパッキン（２４）に付勢され、空気注入体の気密を保持することを特徴とする、請求項１記載の空気注入式垢すり具。
【請求項３】
前記キャップ（１０）の底面に、空気を流入及び排出可能にする複数の空気流路（３４）が穿孔され、
前記バネ（２０）により付勢されたボール（２２）が進入可能となるよう、前記パッキン（２４）の中央部が、上下に穿孔され、
前記パッキン（２４）が、その上面に突起部（２６）を有し、ピストン（Ａ）の端部と所定の間隔を保ち、
前記ピストン（Ａ）の押し込み時に、前記突起部（２６）が歪むことを特徴とする、請求項２記載の空気注入式垢すり具。
【請求項４】
前記ピストン（Ａ）を内蔵する結合突起（６）が、その下面に形成される凹部（８）と接触する、放射状に切開形成された排気溝（２８）を有し、
前記ピストン（Ａ）の押し込み時に、前記パッキン（２４）の突起部（２６）が歪み、
前記ピストン（Ａ）の下端に突設された突起（３０）がボール（２２）を押し出し、前記排気溝（２８）が外部と連通し、
押し出された前記ボール（２２）の隙間から、空気注入体（２２）に充填された空気が排出されることを特徴とする、請求項３記載の空気注入式垢すり具。
【請求項５】
前記排気溝（２８）が、前記ピストン（Ａ）の先端に巻回されたピストンパッキン（３２）が通常の位置にある場合には、ピストンパッキン（３２）よりも下方に位置するよう切開され、通常は閉塞し、ピストン（Ａ）を押し込んだ場合にのみ外部と連通することを特徴とする、請求項４記載の空気注入式垢すり具。
【発明の詳細な説明】
【技術分野】
【０００１】
本発明は、垢すりに用いられる空気注入式垢すり具に関し、さらに詳しくは、空気の注入によって球状に膨らむ空気注入体を垢すりタオルで包み、垢すり時に、空気注入体内の空気が移動することにより、効果的に垢すりをすることが可能であり、皮膚を勢い良くこすっても痛くない垢すり具に関する。
【背景技術】
【０００２】
従来の垢すり具は、風呂に入るときに使用し、タオル状のナイロン生地を用いるか、あるいは、四角形状の袋にし、そこに手を入れて使用していた。
【０００３】
しかしながら、タオル状のナイロン生地垢すりタオルは極めて使用し難く、袋状にして手を入れて用いるものも、使用中に手が袋から抜けてしまい、タオル状に切り取って用いるものと同様に不便であった。
【０００４】
この種の垢すり具は、垢をする際に、皮膚との摩擦によって少しでも勢い良く垢をすると、皮膚がめくれる場合が多く、さらに垢すりも効果的に行うことができないといった不都合があった。
【０００５】
ナイロン生地垢すりタオルの内面にスポンジ状のパッドを包み、垢をするときの痛みの軽減を図った垢すりタオルが提案されている。しかし、これは、スポンジが水気を吸収すれば弾力性が下がり、垢をするときに痛くなると共に、垢すりを効果的に行うことができないという不都合があった。
【発明の開示】
【発明が解決しようとする課題】
【０００６】
本発明は、上記事情に鑑みてなされたものであり、その課題は、皮膚がめくれないだけでなく、垢すりも効果的に行える垢すり具を提供することにある。
【課題を解決するための手段】
【０００７】
本発明者らは、鋭意研究を重ねた結果、空気の注入によって球状に膨らむ空気注入体にナイロン生地垢すりタオルを包むことにより、上記課題を解決しうる垢すり具の発明を完成した。
【０００８】
すなわち、本発明の空気注入式垢すり具は、以下よりなる。
１．外面が垢すりタオル（４０）で覆われた、空気の注入によって膨らむ弾性材質からなる空気注入体（２）と、
前記空気注入体（２）の内側に位置する円板状の支持体（４）と、
前記支持体（４）の上面中央に形成される結合突起（６）と、
前記結合突起（６）に内蔵され、往復動によって前記空気注入体（２）に空気を流入させるピストン（Ａ）と、
前記支持体（４）の結合突起（６）に螺合されるつまみ（１８）によって支持体（４）に付勢され、空気注入体（２）の気密を保持する蓋体（１２）と
からなることを特徴とする空気注入式垢すり具。
２．前記支持体（４）の中心に形成された結合突起（６）が、ピストン（Ａ）を往復動させるための中空のシリンダ形状であり、
前記支持体（４）の下面中央に、階段状に窪まれた凹部（８）が形成され、
前記凹部（８）に、凸状を呈するキャップ（１０）が嵌合されて、ねじ止めされ、
前記キャップ（１０）が、その内側にバネ（２０）、ボール（２２）及びパッキン（２４）を内蔵し、
前記ボール（２２）が、バネ（２０）の弾力によってパッキン（２４）に付勢され、空気注入体の気密を保持することを特徴とする、前項１記載の空気注入式垢すり具。
３．前記キャップ（１０）の底面に、空気を流入及び排出可能にする複数の空気流路（３４）が穿孔され、
前記バネ（２０）により付勢されたボール（２２）が進入可能となるよう、前記パッキン（２４）の中央部が、上下に穿孔され、
前記パッキン（２４）が、その上面に突起部（２６）を有し、ピストン（Ａ）の端部と所定の間隔を保ち、
前記ピストン（Ａ）の押し込み時に、前記突起部（２６）が歪むことを特徴とする、前項２記載の空気注入式垢すり具。
４．前記ピストン（Ａ）を内蔵する結合突起（６）が、その下面に形成される凹部（８）と接触する、放射状に切開形成された排気溝（２８）を有し、
前記ピストン（Ａ）の押し込み時に、前記パッキン（２４）の突起部（２６）が歪み、
前記ピストン（Ａ）の下端に突設された突起（３０）がボール（２２）を押し出し、前記排気溝（２８）が外部と連通し、
押し出された前記ボール（２２）の隙間から、空気注入体（２２）に充填された空気が排出されることを特徴とする、前項３記載の空気注入式垢すり具。
５．前記排気溝（２８）が、前記ピストン（Ａ）の先端に巻回されたピストンパッキン（３２）が通常の位置にある場合には、ピストンパッキン（３２）よりも下方に位置するよう切開され、通常は閉塞し、ピストン（Ａ）を押し込んだ場合にのみ外部と連通することを特徴とする、前項４記載の空気注入式垢すり具。
【発明の効果】
【０００９】
本発明によれば、球状に膨らむ空気注入体によって垢すりを容易に行うことができ、垢すり時に空気注入体内の空気が移動することにより、穏やかに垢すりを行い、痛みを感じなくなる。
【発明を実施するための最良の形態】
【００１０】
以下に、本発明の空気注入式垢すり具の一実施形態を示し、具体的に説明するが、本発明はこれらに限定されるものではない。
【００１１】
図１は、本発明の空気注入式垢すり具の結合状態を示す断面図であり、図２は本発明の空気注入式垢すり具の分解斜視図であり、図３は、本発明の空気注入式垢すり具の支持体の底面を示す斜視図である。
【００１２】
図１及び図２に示すように、本発明に係る空気注入式垢すり具は、外面が垢すりタオル４０で覆われた、空気の注入によって膨らむ弾性材質からなる空気注入体２と、前記空気注入体２の内側に位置する円板状の支持体４と、前記支持体４の上面中央に形成される結合突起６と、前記結合突起６に内蔵され、往復動によって空気注入体２に空気を流入させるピストンＡと、前記支持体４の結合突起６に螺合されるつまみ１８によって支持体４に付勢され、空気注入体２の気密を保持する蓋体１２とからなる。
【００１３】
前記空気注入体２は半球状に形成され、その縁には凹部１４が形成される。また、この凹部１４に固定枠１６が嵌合され、蓋体１２の内側が固定枠１６に押し付けられて気密が保持される。
【００１４】
前記支持体４の上面中央に形成された結合突起６は、ピストンＡを往復動させるための中空のシリンダ形状であり、支持体４の下面中央には階段状に窪んだ凹部８が形成され、この凹部８に凸状を呈するキャップ１０が嵌合されてねじ止めされ、キャップ１０の内側にバネ２０、ボール２２及びパッキン２４が内蔵され、ボール２２がバネ２０の弾性によってパッキン２４に付勢されて気密が保持される。
【００１５】
前記キャップ１０の底面に複数の空気流路３４を穿孔することにより、空気を流入及び排出可能にする。
【００１６】
前記パッキン２４は中空型に形成され、この中空のパッキン２４の内側にバネにより付勢されたボール２２を進入可能とする。また、前記パッキン２４が、その上面に突起部２６を有し、ピストンＡの端部と所定の間隔を保ち、突起部２６がピストンＡの押し込み時に歪むようにする。
【００１７】
前記ピストンＡを内蔵するシリンダ、すなわち結合突起（６）が、放射状に切開形成された排気溝（２８）を有し、排気溝（２８）は、結合突起（６）の下面に形成される凹部（８）と接触する。ピストンＡの押し込み時に、パッキン２４の突起部２６が歪み、ピストンＡの下端に突設された突起３０がボール２２を押して排気溝２８が外部と連通し、この押されたボール２２の隙間から空気注入体２２に充填された空気が排出される。
【００１８】
排気溝２８は、ピストンＡの先端に巻回されたピストンパッキン３２が通常位置にある場合に、ピストンパッキン３２よりも下方に位置するように切開することにより、普段は閉塞し、ピストンＡを押し込んだ場合にのみ排気溝２８が外部と連通することができる。
【００１９】
以上の構成を有する本発明は、空気の注入によって膨らむ空気注入体２の外面が従来の垢すりタオル４０によって覆われる。固定枠１６によって、空気注入体２を支持体４の外側に位置させて結合した後に、蓋体１２を組み付け、つまみ１８を結合する。つまみ１８を下側に向かって回転させると、蓋体１２の内側面によって、固定枠１６が押し下げられ、空気注入体２の気密を保持すると共に、垢すりタオルが強く固定される。
【００２０】
この状態で、つまみ１８の上部に突出されたピストンＡを昇下降させると、注射器の原理によって外部の空気がボール２２を押し、空気が空気注入体２に入り、空気注入体２が膨らむ。
【００２１】
空気がある程度注入された時点で、ピストンＡを下側に位置させ、垢をすることができる。
【００２２】
このとき、ピストンＡに口を当てて空気を吹き入れると、空気はピストンＡの内側に入り、ボール２２を押す。
【００２３】
このようにして空気注入体２に空気をある程度吹き入れた後に垢すりをすれば、空気注入体２の内側にある空気が力を加える方向とは逆方向に移動することにより、垢が上手に取れると共に、皮膚がめくれたりすることがなく、手軽に、効果的に垢すりを行うことができる。
【００２４】
垢すりが終わって空気を抜く場合には、ピストンＡを押す。これにより、ピストンＡの下端がパッキン２４の上端に形成された突起部２６を押し、突起部２６を歪ませ、ピストンＡの下端に突設された突起３０がボール２２を押し、空気注入体２に吹き入れられた空気が、キャップ１０に穿孔された空気流路３４に入り、さらに、ピストンパッキン３２と排気溝２８との間に向かい、空気が排出される。
【００２５】
一方、垢すりタオル４０が損傷した場合、または垢すりタオル４０を乾燥させたい場合には、結合の場合と逆順に取り外して乾燥させたり、新しいタオルに交換することができる。
【図面の簡単な説明】
【００２６】
【図１】本発明の空気注入式垢すり具の結合状態を示す断面図である。
【図２】本発明の空気注入式垢すり具の分解斜視図である。
【図３】本発明の空気注入式垢すり具の支持体の底面を示す斜視図である。
【符号の説明】
【００２７】
Ａ  ピストン
２  空気注入体
４  支持体
６  結合突起
８  凹部
１０  キャップ
１２  蓋体
１４  凹部
１６  固定枠
１８  つまみ
２０  バネ
２２  ボール
２４  パッキン
２６  突起部
２８  排気溝
３０  突起
３２  ピストンパッキン
３４  空気流路
４０  タオル
【図１】
2006271952.tif 000003
【図２】
2006271952.tif 000004
【図３】
2006271952.tif 000005